(57)【要約】【課題】適切に色温度を変化できる照明装置及び照明システムを提供する。【解決手段】照明装置１０は、色温度を変化させる際に、電球色ＬＥＤ１５及び昼光色ＬＥＤ１６のうち、電球色ＬＥＤ１５の調光度が下限値未満になると、電球色ＬＥＤ１５を間引き点灯制御するため、電球色ＬＥＤ１５の調光度の限界まで色温度を出力できる。また、照明装置１０は、色温度を変化させる際に、電球色ＬＥＤ１５及び昼光色ＬＥＤ１６のうち、昼光色ＬＥＤ１６の調光度が下限値未満になると、昼光色ＬＥＤ１６のＬＥＤを間引き点灯制御するため、昼光色ＬＥＤ１６の調光度の限界まで色温度を出力できる。よって、照明装置１０は、従来よりも広い範囲の色温度に該当する電球色及び昼光色の混光色である照明光を生成することができる。【選択図】図１
2016062881.tif 000002
【特許請求の範囲】
【請求項１】
第１の発光色を発光する複数の第１の発光素子と；
第２の発光色を発光する複数の第２の発光素子と；
第１の調光信号及び第２の調光信号に応じて前記複数の第１の発光素子及び前記複数の第２の発光素子それぞれを調光制御するとともに、該第１の調光信号が第１の閾値以下の調光量を指示する場合に該第１の調光信号に応じた前記複数の第１の発光素子の総数に対する数だけ前記第１の発光素子を消灯制御し、該第２の調光信号が第２の閾値以下の調光量を指示する場合に該第２の調光信号に応じた前記複数の第２の発光素子の総数に対する数だけ前記第２の発光素子を消灯制御する制御部と；
を具備する照明装置。
【請求項２】
前記制御部は、前記第１の調光信号が第３の閾値以下の調光量を指示する場合に該第３の調光信号に応じた前記複数の第１の発光素子の総数に対する数だけ前記第１の発光素子を消灯制御するとき、消灯制御しない前記第１の発光素子を該第３の閾値に応じて調光制御し、前記第２の調光信号が第４の閾値以下の調光量を指示する場合に該第４の調光信号に応じた前記複数の第２の発光素子の総数に対する数だけ前記第２の発光素子を消灯制御するとき、消灯制御しない前記第２の発光素子を該第４の閾値に応じて調光制御する
請求項１に記載の照明装置。
【請求項３】
前記第１の調光信号及び前記第２の調光信号は、前記照明装置と接続される制御装置へ入力された色温度指示に応じて前記制御装置により生成された信号である
請求項１又は２に記載の照明装置。
【請求項４】
請求項１〜３のいずれか１つに記載の１つ以上の前記照明装置と；
前記照明装置と接続され、入力された色温度指示に応じて前記第１の調光信号及び前記第２の調光信号を生成して前記照明装置へ入力する制御装置と；
を具備する照明システム。
【発明の詳細な説明】
【技術分野】
【０００１】
本発明の実施形態は、照明装置及び照明システムに関する。
【背景技術】
【０００２】
近年、ＬＥＤ（Light  Emitting  Diode）発光素子を光源とする照明装置が普及してきている。ＬＥＤ発光素子を光源とする照明装置は、電源回路から効率的に直流電流が供給されることで、安定的に発光する。さらに、異なる色温度の光を発する２種類のＬＥＤ発光素子を光源とし、直流電源の供給制御により、各ＬＥＤ発光素子の調光度の制御を行って、装置全体として出射する照明光の色温度を変化させる照明装置がある。
【０００３】
かかる照明装置は、色温度を変化させる際に、直流電源の供給制御による各ＬＥＤ発光素子の調光度の下限値未満では各ＬＥＤ発光素子が安定して発光しないため、各下限値で各ＬＥＤ発光素子を点灯又は消灯させる。このため、例えば、電球色及び昼光色をそれぞれ発光する２種類のＬＥＤ発光素子を混光して色温度を変化させる照明器具は、一方のＬＥＤ発光素子の調光度が直流点灯による下限値未満になった場合にその一方のＬＥＤ発光素子の点灯を継続すると、それ以上に色温度を変化させることができない。
【０００４】
また、例えば、電球色及び昼光色をそれぞれ発光する２種類のＬＥＤ発光素子を混光して色温度を変化させる照明器具は、一方のＬＥＤ発光素子の調光度が直流点灯による下限値未満になった場合にその一方のＬＥＤ発光素子を消灯すると、急激に色温度が変化する。すなわち、従来の照明装置は、ＬＥＤ発光素子の調光度が直流点灯による下限値未満になった場合に、適切に色温度を変化させることができない。
【先行技術文献】
【特許文献】
【０００５】
【特許文献１】特許第４７９６８４９号公報
【発明の概要】
【発明が解決しようとする課題】
【０００６】
本発明が解決しようとする課題は、適切に色温度を変化できる照明装置及び照明システムを提供することである。
【課題を解決するための手段】
【０００７】
実施形態の一例に係る照明装置は、複数の第１の発光素子、複数の第２の発光素子、制御部を具備する。第１の発光素子は、第１の発光色を発光する。第２の発光素子は、第２の発光色を発光する。制御部は、第１の調光信号及び第２の調光信号に応じて複数の第１の発光素子及び複数の第２の発光素子それぞれを調光制御するとともに、第１の調光信号が第１の閾値以下の調光制御量を指示する場合に第１の調光信号に応じた複数の第１の発光素子の総数に対する数だけ第１の発光素子を消灯制御し、第２の調光信号が第２の閾値以下の調光制御量を指示する場合に第２の調光信号に応じた複数の第２の発光素子の総数に対する数だけ第２の発光素子を消灯制御する。
【発明の効果】
【０００８】
実施形態の一例に係る照明装置及び照明システムによれば、適切に色温度を変化できる。
【図面の簡単な説明】
【０００９】
【図１】図１は、実施形態１に係る照明装置の構成の一例を示すブロック図である。
【図２】図２は、実施形態１に係る照明装置における調光制御処理の一例を示すフローチャートである。
【図３Ａ】図３Ａは、実施形態１に係る照明装置における調光制御処理の態様の一例を示す図である。
【図３Ｂ】図３Ｂは、実施形態１に係る照明装置における調光制御処理の態様の一例を示す図である。
【図３Ｃ】図３Ｃは、実施形態１に係る照明装置における調光制御処理の態様の一例を示す図である。
【図３Ｄ】図３Ｄは、実施形態１に係る照明装置における調光制御処理の態様の一例を示す図である。
【図４】図４は、実施形態１に係る照明装置における色温度及び照度の関係の一例を示す図である。
【図５】図５は、実施形態２に係る照明装置の構成の一例を示すブロック図である。
【図６】図６は、色度図である。
【図７】図７は、実施形態１及び実施形態２に係る照明装置を有する照明システムの構成の一例を示すブロック図である。
【図８】図８は、実施形態１及び実施形態２に係る照明装置を有する照明システムの構成の一例を示すブロック図である。
【発明を実施するための形態】
【００１０】
以下、図面を参照して、実施形態に係る照明装置及び照明システムを説明する。実施形態において同一の機能を有する構成には同一の符号を付し、重複する説明は省略する。なお、以下の実施形態で説明する照明装置は、一例を示すに過ぎず、実施形態を限定するものではない。例えば、以下の実施形態では、照明装置は、建物の天井に設置される、ＬＥＤ（Light  Emitting  Diode）発光素子を光源とする照明装置である。しかし、これに限らず、照明装置は、広く半導体発光素子一般を光源とするものであってもよい。また、以下の各実施形態は、矛盾しない範囲内で適宜組みあわせてもよい。
【００１１】
以下の第１の実施態様に係る照明装置は、複数の第１の発光素子、複数の第２の発光素子、制御部を具備する。複数の第１の発光素子は、第１の発光色を発光する。複数の第２の発光素子は、第２の発光色を発光する。制御部は、第１の調光信号及び第２の調光信号に応じて複数の第１の発光素子及び複数の第２の発光素子それぞれを調光制御するとともに、第１の調光信号が第１の閾値以下の調光量を指示する場合に第１の調光信号に応じた複数の第１の発光素子の総数に対する数だけ第１の発光素子を消灯制御し、第２の調光信号が第２の閾値以下の調光量を指示する場合に第２の調光信号に応じた複数の第２の発光素子の総数に対する数だけ第２の発光素子を消灯制御する。
【００１２】
また、以下の第２の実施態様に係る照明装置は、制御部は、第１の調光信号が第３の閾値以下の調光量を指示する場合に第３の調光信号に応じた複数の第１の発光素子の総数に対する数だけ第１の発光素子を消灯制御するとき、消灯制御しない第１の発光素子を第３の閾値に応じて調光制御し、第２の調光信号が第４の閾値以下の調光量を指示する場合に第４の調光信号に応じた複数の第２の発光素子の総数に対する数だけ第２の発光素子を消灯制御するとき、消灯制御しない第２の発光素子を第４の閾値に応じて調光制御する。
【００１３】
また、以下の第３の実施態様に係る照明装置は、第１の調光信号及び第２の調光信号は、照明装置と接続される制御装置へ入力された色温度指示に応じて制御装置により生成された信号である。
【００１４】
また、以下の第４の実施態様に係る照明システムは、第１の実施形態〜第３の実施形態のいずれか１つに記載の１つ以上の照明装置と、照明装置と接続され、入力された色温度指示に応じて第１の調光信号及び第２の調光信号を生成して照明装置へ入力する制御装置とを具備する。
【００１５】
［実施形態１］
（実施形態１に係る照明装置の構成）
図１は、実施形態１に係る照明装置の構成の一例を示すブロック図である。実施形態１に係る照明装置１０は、複数の電球色ＬＥＤ及び複数の昼光色ＬＥＤを備え、電球色ＬＥＤの色温度及び昼光色ＬＥＤの色温度それぞれの限界まで、色温度を制御可能とする。
【００１６】
照明装置１０は、制御部１１、複数の電球色ＬＥＤ１５、複数の昼光色ＬＥＤ１６を有する。複数の電球色ＬＥＤ１５及び複数の昼光色ＬＥＤ１６は、照明装置１０の図示しないＬＥＤ搭載面に略均等に混載され、全体として照明装置１０の光源となる。
【００１７】
制御部１１は、マイクロコンピュータ等の半導体処理装置である。制御部１１は、電源部２から供給される直流電流を、複数の電球色ＬＥＤ１５、複数の昼光色ＬＥＤ１６へ給電する。制御部１１は、電球色ＬＥＤ制御部１２、昼光色ＬＥＤ制御部１３を有する。電球色ＬＥＤ制御部１２及び昼光色ＬＥＤ制御部１３は、ユーザにより入力された色温度指定に対応する色温度の光を照明装置１０が発光するように制御装置１が生成したＰＷＭ（Pulse  Width  Modulation）１及びＰＷＮ２に応じて、電源部２からの直流電流を制御して、複数の電球色ＬＥＤ１５及び複数の昼光色ＬＥＤ１６へ供給する。
【００１８】
なお、ＰＷＭは、パルス変調により複数の電球色ＬＥＤ１５及び複数の昼光色ＬＥＤ１６の調光制御を行う制御信号である。ＰＷＭは、各電球色ＬＥＤ１５及び各昼光色ＬＥＤ１６の調光度を、それぞれの規定の最大発光出力の０％〜１００％の範囲で指定する。ただし、電球色ＬＥＤ制御部１２及び昼光色ＬＥＤ制御部１３は、ＰＷＭ１及びＰＷＭ２が低調光度（例えば、０％＜調光度＜５％）を指定する場合、それぞれの調光度の下限値（例えば、低調光度が０％＜調光度＜５％の場合、５％）で各電球色ＬＥＤ１５及び各昼光色ＬＥＤ１６を発光させる。
【００１９】
（実施形態１に係る調光制御処理）
図２は、実施形態１に係る照明装置における調光制御処理の一例を示すフローチャートである。電球色ＬＥＤ制御部１２及び昼光色ＬＥＤ制御部１３は、ＰＷＭ１及びＰＷＭ２それぞれの入力を受け付け、複数の電球色ＬＥＤ１５及び複数の昼光色ＬＥＤ１６それぞれに対して同様の調光制御を並列に行う。よって、図２の説明では、電球色ＬＥＤ制御部１２及び昼光色ＬＥＤ制御部１３が行う調光制御処理を同一のフローチャートで示す。図２の説明では、電球色ＬＥＤ制御部１２がＰＷＭ１に応じて複数の電球色ＬＥＤ１５の調光制御処理を行う場合を説明するが、昼光色ＬＥＤ制御部１３がＰＷＭ２に応じて複数の昼光色ＬＥＤ１６の調光制御処理を行う場合も同様である。なお、図２に示す調光制御処理は、周期的に実行される。
【００２０】
先ず、電球色ＬＥＤ制御部１２は、ＰＷＭ（ＰＷＭ１）の入力があるか否かを判定する（ステップＳ１１）。電球色ＬＥＤ制御部１２は、ＰＷＭ（ＰＷＭ１）の入力があると判定した場合（ステップＳ１１Ｙｅｓ）、ステップＳ１２へ処理を移す。一方、電球色ＬＥＤ制御部１２は、ＰＷＭ（ＰＷＭ１）の入力がないと判定した場合（ステップＳ１１Ｎｏ）、調光制御処理を終了する。
【００２１】
ステップＳ１２では、電球色ＬＥＤ制御部１２は、ＰＷＭ（ＰＷＭ１）＜Ｘ［％］であるか否かを判定する。なお、Ｘは、電球色ＬＥＤ１５の調光度の下限値（例えば、５％）である。電球色ＬＥＤ制御部１２は、ＰＷＭ（ＰＷＭ１）＜Ｘ［％］であると判定した場合（ステップＳ１２Ｙｅｓ）、ステップＳ１３へ処理を移す。一方、電球色ＬＥＤ制御部１２は、ＰＷＭ（ＰＷＭ１）＜Ｘ［％］でないと判定した場合（ステップＳ１２Ｎｏ）、ステップＳ１４へ処理を移す。
【００２２】
ステップＳ１３では、電球色ＬＥＤ制御部１２は、２／３＊Ｘ［％］≦ＰＷＭ（ＰＷＭ１）＜Ｘ［％］であるか否かを判定する。電球色ＬＥＤ制御部１２は、２／３＊Ｘ［％］≦ＰＷＭ（ＰＷＭ１）＜Ｘ［％］であると判定した場合（ステップＳ１３Ｙｅｓ）、ステップＳ１５へ処理を移す。一方、電球色ＬＥＤ制御部１２は、２／３＊Ｘ［％］≦ＰＷＭ（ＰＷＭ１）＜Ｘ［％］でないと判定した場合（ステップＳ１３Ｎｏ）、ステップＳ１６へ処理を移す。
【００２３】
ステップＳ１４では、電球色ＬＥＤ制御部１２は、ＰＷＭ（ＰＷＭ１）に従って複数の電球色ＬＥＤ１５を調光制御する。ステップＳ１４が終了すると、電球色ＬＥＤ制御部１２は、ステップＳ１１へ処理を移す。ステップＳ１５では、電球色ＬＥＤ制御部１２は、複数の電球色ＬＥＤ１５の総数のうちの１／３の数に相当する電球色ＬＥＤ１５を間引き点灯制御、すなわち、複数の電球色ＬＥＤ１５の総数のうちの１／３の数に相当する電球色ＬＥＤ１５をＬＥＤ搭載面において略均等に消灯させる。ステップＳ１５が終了すると、電球色ＬＥＤ制御部１２は、ステップＳ１１へ処理を移す。
【００２４】
ステップＳ１６では、電球色ＬＥＤ制御部１２は、１／３＊Ｘ［％］≦ＰＷＭ（ＰＷＭ１）＜２／３＊Ｘ［％］であるか否かを判定する。電球色ＬＥＤ制御部１２は、１／３＊Ｘ［％］≦ＰＷＭ（ＰＷＭ１）＜２／３＊Ｘ［％］であると判定した場合（ステップＳ１６Ｙｅｓ）、ステップＳ１７へ処理を移す。一方、電球色ＬＥＤ制御部１２は、１／３＊Ｘ［％］≦ＰＷＭ（ＰＷＭ１）＜２／３＊Ｘ［％］でないと判定した場合（ステップＳ１６Ｎｏ）、ステップＳ１８へ処理を移す。
【００２５】
ステップＳ１７では、電球色ＬＥＤ制御部１２は、複数の電球色ＬＥＤ１５の総数のうちの２／３の数に相当する電球色ＬＥＤ１５を間引き点灯制御、すなわち、複数の電球色ＬＥＤ１５の総数のうちの２／３の数に相当する電球色ＬＥＤ１５をＬＥＤ搭載面において略均等に消灯させる。ステップＳ１７が終了すると、電球色ＬＥＤ制御部１２は、ステップＳ１１へ処理を移す。ステップＳ１８では、電球色ＬＥＤ制御部１２は、複数の電球色ＬＥＤ１５の全てを消灯させる。ステップＳ１８が終了すると、電球色ＬＥＤ制御部１２は、ステップＳ１１へ処理を移す。
【００２６】
（実施形態１に係る調光制御処理の態様）
図３Ａ〜図３Ｄは、実施形態１に係る照明装置における調光制御処理の態様の一例を示す図である。図３Ａ〜図３Ｄは、電球色ＬＥＤ１５及び昼光色ＬＥＤ１６が、ＬＥＤ搭載面に直線状に交互に配置される場合を示す。なお、図３Ａ〜図３Ｄは、電球色ＬＥＤ１５を“○”で示し、昼光色ＬＥＤ１６を“△”で示す。また、図３Ａ〜図３Ｄは、電球色ＬＥＤ１５が間引き点灯制御される例を示すが、昼光色ＬＥＤ１６が間引き点灯制御される場合も同様である。
【００２７】
図３Ａは、電球色ＬＥＤ１５及び昼光色ＬＥＤ１６の全てが点灯状態であることを示す。図３Ｂは、図２に示すステップＳ１５の処理により、電球色ＬＥＤ１５の総数のうち、１／３の数に相当する電球色ＬＥＤ１５が、間引き点灯制御された状態を示す。また、図３Ｃは、図２に示すステップＳ１７の処理により、電球色ＬＥＤ１５の総数のうち、２／３の数に相当する電球色ＬＥＤ１５が、間引き点灯制御された状態を示す。さらに、図３Ｄは、図２に示すステップＳ１８の処理により、電球色ＬＥＤ１５の全てが消灯された状態を示す。
【００２８】
なお、図３Ａ〜図３Ｄは、複数の電球色ＬＥＤ１５及び複数の昼光色ＬＥＤ１６の配置の一例を示すに過ぎない。すなわち、複数の電球色ＬＥＤ１５及び複数の昼光色ＬＥＤ１６は、ＬＥＤ搭載面に格子状に均等に配置されてもよい。または、複数の電球色ＬＥＤ１５及び複数の昼光色ＬＥＤ１６は、ＬＥＤ搭載面の同心円の円周上に交互に配置されてもよい。
【００２９】
（実施形態１に係る色温度及び照度の関係）
図４は、実施形態１に係る照明装置における色温度及び照度の関係の一例を示す図である。図４は、約３０００［Ｋ］＜色温度≦Ｂ［Ｋ］において、昼光色ＬＥＤ１６を３段階に分けて段階的に間引き点灯制御することを示す。そして、図４は、色温度＝約３０００［Ｋ］において、昼光色ＬＥＤ１６が全消灯となり、照明装置１０の照度がＬ２［Ｌｘ］の電球色となることを示す。
【００３０】
また、図４は、色温度＝Ａ［Ｋ］において、電球色ＬＥＤ１５及び昼光色ＬＥＤ１６が全点灯となり、照明装置１０の照度がＬ１［Ｌｘ］となることを示す。また、図４は、Ｃ［Ｋ］＜色温度＜約５０００［Ｋ］において、電球色ＬＥＤ１５を３段階に分けて段階的に間引き点灯制御することを示す。そして、図４は、色温度＝約５０００［Ｋ］において、電球色ＬＥＤ１５が全消灯となり、照明装置１０の照度がＬ２［Ｌｘ］の昼光色となることを示す。
【００３１】
（実施形態１による効果）
実施形態１に係る照明装置１０は、色温度を変化させる際に、電球色ＬＥＤ１５及び昼光色ＬＥＤ１６のうち、電球色ＬＥＤ１５の調光度が下限値未満になると、電球色ＬＥＤ１５を間引き点灯制御するため、電球色ＬＥＤ１５の調光度の限界まで色温度を出力できる。同様に、実施形態１に係る照明装置１０は、色温度を変化させる際に、電球色ＬＥＤ１５及び昼光色ＬＥＤ１６のうち、昼光色ＬＥＤ１６の調光度が下限値未満になると、昼光色ＬＥＤ１６のＬＥＤを間引き点灯制御するため、昼光色ＬＥＤ１６の調光度の限界まで色温度を出力できる。よって、実施形態１に係る照明装置１０は、従来よりも広い範囲の色温度に該当する電球色及び昼光色の混光色である照明光を生成することができる。
【００３２】
また、実施形態１に係る照明装置１０は、例えば５％未満の直流電流では調光できないＬＥＤであっても、例えば１／２の間引き点灯制御することで、５％×１／２＝２．５％の調光ができるように、従来に比べ、より広い範囲で調光ができる。また、実施形態１に係る照明装置１０は、ＬＥＤの間引き点灯制御により、発光の分解能をより細かく制御できる。
【００３３】
［実施形態２］
（実施形態２に係る照明装置の構成）
図５は、実施形態２に係る照明装置の構成の一例を示すブロック図である。実施形態２に係る照明装置１０−１は、複数の赤色ＬＥＤ、複数の緑色ＬＥＤ、及び複数の青色ＬＥＤを備え、赤色ＬＥＤの色温度、緑色ＬＥＤの色温度、及び青色ＬＥＤの色温度それぞれの限界まで、色温度を制御可能とする。
【００３４】
照明装置１０−１は、制御部１１−１、複数の赤色ＬＥＤ１７、複数の緑色ＬＥＤ１８、及び複数の青色ＬＥＤ１９を有する。複数の赤色ＬＥＤ１７、複数の緑色ＬＥＤ１８、及び複数の青色ＬＥＤ１９は、照明装置１０−１の図示しないＬＥＤ搭載面に略均等に混載され、全体として照明装置１０−１の光源となる。
【００３５】
制御部１１−１は、マイクロコンピュータ等の半導体処理装置である。制御部１１−１は、電源部２から供給される直流電流を、複数の赤色ＬＥＤ１７、複数の緑色ＬＥＤ１８、及び複数の青色ＬＥＤ１９へ給電する。制御部１１−１は、赤色ＬＥＤ制御部１２−１、緑色ＬＥＤ制御部１３−１、及び青色ＬＥＤ制御部１４−１を有する。赤色ＬＥＤ制御部１２−１、緑色ＬＥＤ制御部１３−１、及び青色ＬＥＤ制御部１４−１は、ユーザにより入力された色温度指定に対応する色温度の光を照明装置１０−１が発光するように制御装置１が生成したＰＷＭ３、ＰＷＭ４、及びＰＷＮ５に応じて、電源部２からの直流電流を制御して、複数の赤色ＬＥＤ１７、複数の緑色ＬＥＤ１８、及び複数の青色ＬＥＤ１９へ供給する。
【００３６】
ＰＷＭは、各赤色ＬＥＤ１７、各緑色ＬＥＤ１８、及び各青色ＬＥＤ１９の調光度を、それぞれの規定の最大発光出力の０％〜１００％の範囲で指定する。ただし、赤色ＬＥＤ１７、緑色ＬＥＤ１８、及び青色ＬＥＤ１９は、ＰＷＭ３、ＰＷＭ４、及びＰＷＮ５が低調光度（例えば、０％＜調光度＜５％）を指定する場合、それぞれの調光度の下限値（例えば、低調光度が０％＜調光度＜５％の場合、５％）で各赤色ＬＥＤ１７、各緑色ＬＥＤ１８、及び各青色ＬＥＤ１９を発光させる。なお、赤色ＬＥＤ制御部１２−１、緑色ＬＥＤ制御部１３−１、及び青色ＬＥＤ制御部１４−１は、それぞれ、図２に示す実施形態１に係る調光制御処理を、複数の赤色ＬＥＤ１７、複数の緑色ＬＥＤ１８、及び複数の青色ＬＥＤ１９に対してそれぞれ実行する。
【００３７】
例えば、制御装置１−１に対してユーザにより色温度指定が入力されると、制御装置１−１は、色温度指定に応じたＰＷＭ３、ＰＷＭ４、及びＰＷＭ５を生成する。ここで、色温度指定は、例えば、図６に示す色度図における色温度である。また、色温度に代えて、図６に示す色度図上のｘ−ｙ座標を以って指定してもよい。そして、制御装置１−１は、生成したＰＷＭ３、ＰＷＭ４、及びＰＷＭ５を、照明装置１０−１へ入力する。
【００３８】
（色度図について）
図６は、色度図である。照明装置１０−１は、調光制御により、複数の赤色ＬＥＤ１７、複数の緑色ＬＥＤ１８、及び複数の青色ＬＥＤ１９の各発光出力が、ＰＷＭ３、ＰＷＭ４、及びＰＷＭ５により可変に制御され、図６に示す色度図の相関色温度の曲線における略任意の色温度に該当する赤、緑及び青の混光色である照明光を生成することができる。
【００３９】
（実施形態２による効果）
実施形態２によれば、照明装置１０−１は、色温度を変化させる際に、赤色ＬＥＤ１７、緑色ＬＥＤ１８、及び青色ＬＥＤ１９のうち、赤色ＬＥＤ１７の調光度が下限値未満になると、赤色ＬＥＤ１７を間引き点灯制御するため、赤色ＬＥＤ１７の調光度の限界まで色温度を出力できる。同様に、照明装置１０−１は、色温度を変化させる際に、赤色ＬＥＤ１７、緑色ＬＥＤ１８、及び青色ＬＥＤ１９のうち、緑色ＬＥＤ１８の調光度が下限値未満になると、緑色ＬＥＤ１８を間引き点灯制御するため、緑色ＬＥＤ１８の調光度の限界まで色温度を出力できる。同様に、照明装置１０−１は、色温度を変化させる際に、赤色ＬＥＤ１７、緑色ＬＥＤ１８、及び青色ＬＥＤ１９のうち、青色ＬＥＤ１９の調光度が下限値未満になると、青色ＬＥＤ１９を間引き点灯制御するため、青色ＬＥＤ１９の調光度の限界まで色温度を出力できる。このように、実施形態２に係る照明装置１０−１は、図６に示す色度図の相関色温度の曲線において、従来よりも広い範囲の色温度に該当する赤、緑及び青の混光色である照明光を生成することができる。
【００４０】
（照明システムについて）
図７及び図８は、実施形態１及び実施形態２に係る照明装置を有する照明システムの構成の一例を示すブロック図である。図７に示すように、照明システム１００は、制御装置１（または制御装置１−１）に対して複数の照明装置１０（または複数の照明装置１０−１）を並列に接続し、各ＰＷＭを複数の照明装置１０（または複数の照明装置１０−１）へ並列入力するように構成できる。また、図８に示すように、照明システム１００−１は、制御装置１（または制御装置１−１）に対して複数の照明装置１０（または複数の照明装置１０−１）を直列に接続し、単一のＰＷＭを複数の照明装置１０（または複数の照明装置１０−１）へ直列入力するように構成できる。
【００４１】
［その他の実施形態］
上記実施形態では、照明装置１０、１０−１は、ＰＷＭが調光度の下限値未満である場合に、３段階に分けた調光度に応じて、総数のうちの１／３の数ずつ各種のＬＥＤを間引き点灯させるとした。しかし、これに限らず、照明装置１０、１０−１は、ＰＷＭが調光度の下限値未満である場合に、ｎ（２≦ｎ：ｎは自然数）段階に分けた調光度に応じて、総数のうちの１／ｎの数ずつ各種のＬＥＤを間引き点灯させるとしてもよい。または、照明装置１０、１０−１は、各ＰＷＭの値に、消灯させる各種のＬＥＤの指定を対応付けたテーブルを図示しない記憶部に保持し、ＰＷＭが調光度の下限値未満である場合に、テーブルを参照して、ＰＷＭに対応して各種のＬＥＤを消灯させるとしてもよい。
【００４２】
上記実施形態では、Ｘは、照明装置１０、１０−１の各ＬＥＤの調光度の下限値であるとした。しかし、これに限らず、Ｘは、照明装置１０、１０−１の各ＬＥＤの調光度の下限値より大の値であってもよい。例えば、Ｘは、照明装置１０、１０−１の各ＬＥＤを最大限に間引き点灯させても発光の分解能が所定値以上となる調光度の最大値であってもよい。すなわち、照明装置１０、１０−１の調光制御において、下限値より大の調光度において、供給電流の制御と、間引き点灯とを併用することにより、よりきめ細やかに発光の色温度を制御できる。
【００４３】
上記実施形態では、電球色ＬＤＥ及び昼光色ＬＥＤ、又は、赤色ＬＥＤ、緑色ＬＥＤ及び青色ＬＥＤの各光色のＬＥＤの組合せで光源を構成するとした。しかしこれに限らず、所望の光色を得るため、電球色ＬＤＥ、昼光色ＬＥＤ、昼白色ＬＥＤ、赤色ＬＥＤ、緑色ＬＥＤ、青色ＬＥＤ、その他の光色のＬＥＤのうちの１又は複数種類のＬＥＤを組合せて光源を構成してもよい。
【００４４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４５】
１、１−１      制御装置
２              電源部
１０、１０−１  照明装置
１１、１１−１  制御部
１２  電球色ＬＥＤ制御部
１２−１  赤色ＬＥＤ制御部
１３  昼白色ＬＥＤ制御部
１３−１  緑色ＬＥＤ制御部
１５  電球色ＬＥＤ
１４−１  青色ＬＥＤ制御部
１６  昼光色ＬＥＤ
１７  赤色ＬＥＤ
１８  緑色ＬＥＤ
１９  青色ＬＥＤ
１００、１００−１  照明システム
【図１】
2016062881.tif 000003
【図２】
2016062881.tif 000004
【図３Ａ】
2016062881.tif 000005
【図３Ｂ】
2016062881.tif 000006
【図３Ｃ】
2016062881.tif 000007
【図３Ｄ】
2016062881.tif 000008
【図４】
2016062881.tif 000009
【図５】
2016062881.tif 000010
【図６】
2016062881.tif 000011
【図７】
2016062881.tif 000012
【図８】
2016062881.tif 000013